(57)【特許請求の範囲】
【請求項１】
所定の契機に基づき抽選を行い、当該抽選により当選結果が得られた場合には遊技者にとって有利な特別遊技状態を発生させる遊技機であって、
第１制御基板を収容した第１基板ボックスと、第２制御基板を収容した第２基板ボックスとを備え、
各種電子部品が実装された前記第１制御基板の実装面と相対向する前記第１基板ボックスの表壁部外側に前記第２基板ボックスが載置される構成の下、
前記第１基板ボックス内において、前記第１制御基板の実装面に相対向して配置されると共に、前記第１基板ボックスの内側に向け送風する送風手段と、
前記第１基板ボックスの表壁部から外側に向け突出しかつその内側に前記送風手段が差し込まれる収容突部と、
前記収容突部において、前記第１基板ボックスの外部と内部とを通気可能に形成された通気孔と、
前記第２基板ボックスにおいて、当該第２基板ボックス内と非連通状態で形成された通気用筒部とを備え、
前記通気用筒部の一方が、取付側となる前記第２基板ボックスの裏壁部に開口し、他方が、前記裏壁部の周囲に形成される前記第２基板ボックスの側壁部に開口するよう構成されると共に、
前記第１基板ボックスの表壁部外側に前記第２基板ボックスを載置した状態において、前記第１基板ボックスの表壁部と前記第２基板ボックスの裏壁部が当接した状態となると共に、前記第１基板ボックスの収容突部が前記第２基板ボックスの通気用筒部内に差し込まれた状態となり、前記送風手段と外部とが通気可能となるよう構成され、
前記第２基板ボックスの表壁部外側及び側壁部外側に対向するように配置されたカバー部材を備えたことを特徴とする遊技機。
【発明の詳細な説明】
【技術分野】
【０００１】
本発明は、パチンコ機等の遊技機に関するものである。
【背景技術】
【０００２】
パチンコ機等の遊技機には、例えば遊技の統括的な制御を行う主制御装置や、表示演出を行うための表示装置を制御する表示制御装置など各種制御装置が配設されている。
【０００３】
従来より、これらの制御装置においては、例えば制御基板を収納する樹脂ケース（基板ボックス）に放熱孔を設けるなど電子部品から生じる熱を効率良く逃がすための種々の放熱対策がとられているが、上述した放熱孔だけでは十分に熱を逃しきれないおそれがある。従って、近年の制御装置では、ファン等を取付けるなど、より効率の高い放熱対策が求められる（例えば特許文献１参照）。
【先行技術文献】
【特許文献】
【０００４】
【特許文献１】特開２００３−６２２８３号公報
【発明の概要】
【発明が解決しようとする課題】
【０００５】
ところが、従来では、制御装置内への塵や埃等の異物の侵入を抑制するため、上記ファン等は、制御装置内の熱を外部に排出する向きに取付けられている。従って、このような構成の制御装置内では、温められた空気が樹脂ケース内全体からファンへ集まるように流れるため、仮に所定の電子部品の近傍にファン等を設置したとしても、当該電子部品を効率良く冷却しづらい。
【０００６】
なお、上記例示した課題等は、パチンコ機に限らず、スロットマシン等の他の遊技機にも該当する問題である。
【０００７】
本発明は、上記例示した課題等を解決するためになされたものであり、その目的は、塵や埃等の異物の侵入を抑制しつつ、電子部品を効率良く冷却できる遊技機を提供することにある。
【課題を解決するための手段】
【０００８】
本発明に係る遊技機は、
所定の契機に基づき抽選を行い、当該抽選により当選結果が得られた場合には遊技者にとって有利な特別遊技状態を発生させる遊技機であって、
第１制御基板を収容した第１基板ボックスと、第２制御基板を収容した第２基板ボックスとを備え、
各種電子部品が実装された前記第１制御基板の実装面と相対向する前記第１基板ボックスの表壁部外側に前記第２基板ボックスが載置される構成の下、
前記第１基板ボックス内において、前記第１制御基板の実装面に相対向して配置されると共に、前記第１基板ボックスの内側に向け送風する送風手段と、
前記第１基板ボックスの表壁部から外側に向け突出しかつその内側に前記送風手段が差し込まれる収容突部と、
前記収容突部において、前記第１基板ボックスの外部と内部とを通気可能に形成された通気孔と、
前記第２基板ボックスにおいて、当該第２基板ボックス内と非連通状態で形成された通気用筒部とを備え、
前記通気用筒部の一方が、取付側となる前記第２基板ボックスの裏壁部に開口し、他方が、前記裏壁部の周囲に形成される前記第２基板ボックスの側壁部に開口するよう構成されると共に、
前記第１基板ボックスの表壁部外側に前記第２基板ボックスを載置した状態において、前記第１基板ボックスの表壁部と前記第２基板ボックスの裏壁部が当接した状態となると共に、前記第１基板ボックスの収容突部が前記第２基板ボックスの通気用筒部内に差し込まれた状態となり、前記送風手段と外部とが通気可能となるよう構成され、
前記第２基板ボックスの表壁部外側及び側壁部外側に対向するように配置されたカバー部材を備えたことをその要旨としている。
【発明の効果】
【０００９】
本発明の遊技機によれば、塵や埃等の異物の侵入を抑制しつつ、電子部品を効率良く冷却できる。
【図面の簡単な説明】
【００１０】
【図１】一実施形態におけるパチンコ機を示す正面図である。
【図２】パチンコ機の斜視図である。
【図３】内枠及び前面枠セットを開放した状態を示す斜視図である。
【図４】内枠及び遊技盤の構成を示す正面図である。
【図５】内枠及び遊技盤の構成を示す背面図である。
【図６】パチンコ機の構成を示す背面図である。
【図７】電気的構成を示すブロック図である。
【図８】装飾図柄表示装置及び表示制御装置の分解斜視図である。
【図９】音声ランプ制御装置が載置された状態を示す、装飾図柄表示装置及び表示制御装置の背面図である。
【図１０】音声ランプ制御装置が載置された状態を示す、装飾図柄表示装置及び表示制御装置の斜視図である。
【図１１】音声ランプ制御装置が取外された状態を示す、装飾図柄表示装置及び表示制御装置の斜視図である。
【図１２】図９のＫ−Ｋ線部分断面図である。
【図１３】別の実施形態における音声ランプ制御装置及び表示制御装置を示す部分断面図である。
【図１４】別の実施形態における音声ランプ制御装置及び表示制御装置を示す斜視図である。
【図１５】別の実施形態における音声ランプ制御装置及び表示制御装置を示す斜視図である。
【図１６】ユニットカバーを取外した状態の別の実施形態における表示制御装置を示す部分断面図である。
【図１７】別の実施形態における音声ランプ制御装置及び表示制御装置を示す斜視図である。
【図１８】別の実施形態における音声ランプ制御装置及び表示制御装置を示す斜視図である。
【発明を実施するための形態】
【００１１】
上述したように、パチンコ機等の遊技機には、例えば遊技の統括的な制御を行う主制御装置や、表示演出を行うための表示装置を制御する表示制御装置など各種制御装置が配設されている。
【００１２】
従来より、これらの制御装置においては、中央処理装置（ＣＰＵ）等の電子部品が発熱を伴うため、例えば制御基板を収納する樹脂ケース（基板ボックス）に放熱孔を設けるなど電子部品から生じる熱を効率良く逃がすための種々の放熱対策がとられている。
【００１３】
近年では、演出機能の多様化などにより、制御基板には、処理速度の速いＣＰＵ等、より高性能な電子部品が搭載されるようになってきている。例えば、表示装置として液晶表示装置などが採用されており、この液晶表示装置を制御する表示制御基板には、処理速度の速いＣＰＵや画像処理装置（ＶＤＰ）などが搭載され、より多彩な表示演出が可能となっている。
【００１４】
一般に、ＣＰＵ等の処理速度、つまり動作クロック周波数が上がると、それに伴って消費電力が大きくなり、発生する熱量も増加する。このように樹脂ケース内に多量の熱が発生するようになると、上述した放熱孔だけでは十分に熱を逃しきれず、電子部品の発する熱により制御装置が誤作動を起してしまうおそれがある。従って、高性能な電子部品を搭載した近年の制御装置では、ファン等を取付けるなど、より効率の高い放熱対策が求められる（例えば特許文献１参照）。
【００１５】
ところが、従来では、制御装置内への塵や埃等の異物の侵入を抑制するため、上記ファン等は、制御装置内の熱を外部に排出する向きに取付けられている。従って、このような構成の制御装置内では、温められた空気が樹脂ケース内全体からファンへ集まるように流れるため、仮にＣＰＵ等の高熱を発する電子部品の近傍にファン等を設置したとしても、当該電子部品を効率良く冷却しづらい。
【００１６】
なお、上記課題は、パチンコ機に限らず、スロットマシン等の他の遊技機にも該当する問題である。
【００１７】
本発明は、上記課題を解決するためになされたものであり、その目的は、塵や埃等の異物の侵入を抑制しつつ、電子部品を効率良く冷却できる遊技機を提供することにある。
【００１８】
以下、上記課題等を解決するのに適した各手段を項分けして説明する。なお、必要に応じて対応する手段に特有の作用効果等を付記する。
【００１９】
手段１．所定の契機に基づき抽選を行い、当該抽選により当選結果が得られた場合には遊技者にとって有利な特別遊技状態を発生させる遊技機であって、
各種電子部品が実装された制御基板と、当該制御基板を収容した基板ボックスとを備えるとともに、
前記基板ボックスの内側に向け送風する送風手段と、
前記基板ボックスの外側において、前記送風手段に対向して配置されたカバー部材とを備えたことを特徴とする遊技機。
【００２０】
上記手段１によれば、基板ボックスの内側へ向け送風する送風手段を備えることにより、例えばＣＰＵ等の高熱を発する電子部品など所定の電子部品に対し、基板ボックス内の空気よりも冷たい外気を集中的に送風し、当該電子部品を効率良く冷却することができるようになる。さらに、基板ボックスの外側、すなわち送風手段の吸気側において当該送風手段に対向して配置されたカバー部材を備えることにより、制御装置内への塵や埃等の異物の侵入を抑制することができる。結果として、塵や埃等の異物の侵入抑制と、電子部品の冷却効率の向上との両立を図ることができる。例えば、上記カバー部材としては、「少なくとも送風手段を覆う通気可能なカバー部材」などが挙げられる。
【００２１】
手段２．前記送風手段は、前記制御基板の実装面に相対向して配置されていることを特徴とする手段１に記載の遊技機。
【００２２】
上記手段２によれば、制御基板に実装された電子部品に対し効率よく外気を当てることができる。
【００２３】
手段３．前記送風手段は、前記制御基板に実装された電子部品のうち特定の電子部品に相対向して配置され、当該特定の電子部品に向けて送風することを特徴とする手段１に記載の遊技機。
【００２４】
上記手段３によれば、特定の電子部品を集中的に冷却することができるので、効率よく特定の電子部品を適正温度に保つことができる。
【００２５】
手段４．前記基板ボックスには、少なくとも前記送風手段が配置された高さ位置よりも上方位置において排気口が設けられていることを特徴とする手段１乃至３のいずれかに記載の遊技機。
【００２６】
上記手段４によれば、例えば基板ボックスの上壁部など、送風手段が配置された高さ位置よりも上方位置に排気口を設けることにより、基板ボックス内で温められた空気を効率よく外部に排気することができる。
【００２７】
手段５．前記基板ボックスは、前記制御基板の実装面に相対向して配置される表壁部と、前記表壁部の周囲に形成される側壁部とを備えるとともに、前記側壁部から前記表壁部にかけて開口した排気口を備えていることを特徴とする手段１乃至４のいずれかに記載の遊技機。
【００２８】
上記手段５によれば、より大きな排気口を確保しやすくなり、放熱性能のさらなる向上を図ることができる。
【００２９】
なお、遊技機には、限られた設置スペースの中で多くの制御装置（基板ボックス）が設置されていることから、上記送風手段を備えた基板ボックスの側壁部に隣接して他の基板ボックスが配置されることが考えられる。この場合には、両者の設置間隔が狭すぎると、十分な通気スペースが確保できず、側壁部に開口した排気口からは効率よく排気を行うことができないことも懸念される。この点、上記手段５によれば、基板ボックスの表壁部側からも排気できるため、放熱性能の低下を抑制することができる。
【００３０】
手段６．前記基板ボックスは、前記制御基板の実装面に相対向して配置される表壁部と、前記表壁部の周囲に形成される側壁部とを備えるとともに、前記表壁部及び前記側壁部の連接部の所定箇所においては前記制御基板に対し傾斜した傾斜壁部を備え、
前記傾斜壁部において排気口を備えていることを特徴とする手段１乃至４のいずれかに記載の遊技機。
【００３１】
上記手段６によれば、上記手段５と同様の作用効果が奏される。さらに、上記送風手段を備えた基板ボックスにおいて、他の基板ボックスと隣接した箇所に上記傾斜壁部及びそこに開口した排気口を設けることにより、他の基板ボックスと隣接した箇所の側壁部から排気口を省略することも可能となる。このようにすれば、隣接する他の基板ボックスに対し熱風が吹きつけられることもなくなるため、隣接する他の基板ボックス（制御基板）に与える影響を低減することができる。ひいては、隣接した両基板ボックス間に通気スペースを確保する必要もなくなるため、両基板ボックスを密着させることも可能となり、限られた設置スペースの有効利用を図ることができる。
【００３２】
以下に、上記各手段が適用される各種遊技機の基本構成を示す。
【００３３】
Ａ．上記各手段における前記遊技機は弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内される遊技領域と、前記遊技領域内に配置された各入球手段（一般入賞口、可変入賞装置、作動口等）とを備えた弾球遊技機」が挙げられる。
【００３４】
Ｂ．上記各手段における前記遊技機は略鉛直方向に延びる遊技領域を備えた弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内され、略鉛直方向に沿って延びる所定の遊技領域（例えば遊技領域は遊技盤面等により構成される）と、前記遊技領域内に配置された各入球手段（一般入賞口、可変入賞装置、作動口等）とを備え、前記遊技領域を流下する遊技球の挙動を視認可能に構成されてなる弾球遊技機」が挙げられる。
【００３５】
Ｃ．上記各手段における前記遊技機、又は、上記各弾球遊技機は、パチンコ機又はパチンコ機に準ずる遊技機であること。
【００３６】
Ｄ．上記各手段における遊技機は、スロットマシン等の回胴式遊技機であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成した回胴式遊技機」が挙げられる。
【００３７】
Ｅ．上記各手段における遊技機は、スロットマシンとパチンコ機とを融合した形式の遊技機（特に遊技球を遊技媒体として使用するスロットマシン仕様の遊技機）であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成し、さらに球受皿（上皿等）を設けてその球受皿から遊技球を取り込む取込手段と、前記球受皿に遊技球の払出しを行う払出手段とを備え、前記取込手段により遊技球が取り込まれることにより遊技の開始条件が成立するように構成した遊技機」が挙げられる。
【００３８】
以下、パチンコ遊技機（以下、単に「パチンコ機」という）の一実施形態を、図面に基づいて詳細に説明する。ここで、図１はパチンコ機１０の正面図であり、図２は斜視図である。また、図３は、内枠１２及び前面枠セット１４を開放した状態を示す斜視図である。但し、図３では便宜上、遊技盤３０面上に配設される釘や役物、前面枠セット１４に取付けられるガラスユニット１３７などを省略して示している。
【００３９】
図１乃至図３に示すように、パチンコ機１０は、当該パチンコ機１０の外郭を構成する外枠１１を備えており、この外枠１１の一側部に内枠１２が開閉可能に支持されている。外枠１１は、例えば木製の板材により全体として矩形状に構成され、小ネジ等の離脱可能な締結具により各板材が組み付けられている。
【００４０】
外枠１１の左辺部には、上ヒンジ８１及び下ヒンジ８２が設けられている。当該上ヒンジ８１及び下ヒンジ８２にて、内枠１２の上下部が回動可能に支持されており、これにより内枠１２が開閉可能に支持される。また、便宜上、図示は省略するが、外枠１１の右辺部には、後述する施錠装置６００の係止部材が係止される上下一対の受け金具が取付けられている。さらに、外枠１１下部には、樹脂製の幕板飾り８５が取着されている。
【００４１】
内枠１２の開閉軸線は、上述したようにパチンコ機１０の正面からみて左側において上下に沿って設定されており、この開閉軸線を軸心として内枠１２が前方側に開放できるようになっている。内枠１２は、外形が矩形状をなす青色の樹脂ベース３８を主体に構成されており、当該樹脂ベース３８の中央部には略楕円形状の窓孔３９が形成されている。
【００４２】
また、内枠１２の前面側には、前面枠セット１４が開閉可能に取付けられている。前面枠セット１４は、内枠１２と同様に、パチンコ機１０の正面から見て左側において上下に沿って設定された開閉軸線を軸心として前方側に開放できるようになっている。
【００４３】
前面枠セット１４は、内枠１２と同様に外形が矩形状をなし、閉鎖状態においては内枠１２の前面側ほぼ全域を覆う。前面枠セット１４の中央部には略楕円形状の窓部１０１が形成されている。これにより、前面枠セット１４の窓部１０１及び内枠１２の窓孔３９を介して、内枠１２の後面に装着される遊技盤３０（遊技領域）を外部から視認可能となる。遊技盤３０の詳細な構成については後述する。
【００４４】
前面枠セット１４の前面側には、その下部中央において球受皿としての下皿１５が設けられており、排出口１６より排出された遊技球が下皿１５内に貯留可能になっている。また、下皿１５の手前側には、下皿１５内から遊技球を排出するための球抜きレバー２５が設けられている。
【００４５】
下皿１５の右方には、手前側に突出した遊技球発射ハンドル（以下、単にハンドルという）１８が設けられ、下皿１５の左方には、灰皿２６が設けられている。尚、ハンドル１８には、図示しないタッチセンサや、ハンドル１８の操作部の操作量を検出するための図示しない操作量検出手段が設けられている。
【００４６】
下皿１５の上方には上皿１９が設けられている。上皿１９は、遊技球を一旦貯留し、一列に整列させながら後述する遊技球発射装置（以下、単に発射装置という）７０の方へ案内する球受皿である。なお、上皿１９から溢れる遊技球は下皿１５へ案内されるようになっている。
【００４７】
上皿１９には球貸しボタン１２１と返却ボタン１２２とが設けられている。これにより、遊技場等において、パチンコ機１０の側方に配置されるカードユニット（球貸しユニット）に紙幣やカード等を投入した状態で球貸しボタン１２１が操作されると、その操作に応じて貸出球が上皿１９に供給される。一方、返却ボタン１２２は、カードユニットに挿入されたカード等の返却を求める際に操作される。但し、カードユニットを介さずに球貸し装置等から上皿１９に遊技球が直接貸し出されるパチンコ機、いわゆる現金機では球貸しボタン１２１及び返却ボタン１２２は不要である。
【００４８】
また、前面枠セット１４の前面にはその周囲に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。さらに、中央電飾部１０３の左右側方には、所定のエラー時に点灯するエラー表示ランプ１０４が設けられている。また、各エラー表示ランプ１０４に隣接してスピーカＳＰ（図７参照）が設けられるとともに、当該スピーカＳＰの前側にスピーカカバー２４が取着されている。
【００４９】
前面枠セット１４の背面側にはガラスユニット１３７が取付けられている。ガラスユニット１３７は、従来の前後一対の矩形状の板ガラスが前後対を為して別々に取着されるものではなく、全体として丸形をなし、アッセンブリ化された上で取付けられている。
【００５０】
次に、内枠１２（樹脂ベース３８）について図４，図５を参照して説明する。図４は、内枠及び遊技盤の構成を示す正面図であり、図５は、内枠及び遊技盤の構成を示す背面図である。
【００５１】
上述した通り、内枠１２（樹脂ベース３８）には、窓孔３９の後側に遊技盤３０が装着されている。遊技盤３０は、その周縁部が内枠１２（樹脂ベース３８）の裏側に当接した状態で取着されている。従って、遊技盤３０の前面部の略中央部分が樹脂ベース３８の窓孔３９を通じて内枠１２の前面側に露出した状態となっている。
【００５２】
また、内枠１２（樹脂ベース３８）の下部、すなわち窓孔３９（遊技盤３０）の下方位置には、後側へ膨出した膨出部４０が形成されている。この膨出部４０の前面右側には、発射装置７０が取付けられている。本実施形態では、発射装置７０としてソレノイド式発射装置を採用している。また、膨出部４０には、後述する払出機構部３５２から上記下皿１５の排出口１６へ繋がる球通路７１が設けられている。また、発射装置７０の発射レール７０ａと後述するレール５０（外レール構成部５２）との間には所定間隔の隙間があり、この隙間より下方にファール球通路７２が形成されている。これにより、仮に、発射装置７０から発射された遊技球が後述する戻り球防止部材５３まで至らずファール球としてレール５０を逆戻りする場合には、そのファール球がファール球通路７２及び球通路７１を介して下皿１５に排出される。また、球通路７１の下側にはハーネスカバー７４が設けられている。これにより中継基板７５と発射装置７０とを接続するハーネス（図示略）をまとめている。
【００５３】
また、内枠１２の右側部背面側には施錠装置６００が設けられている。施錠装置６００は、前面枠セット１４の前面側に露出するシリンダ錠７００を備えており、該シリンダ錠７００の鍵穴に鍵を挿入し、一方に回動操作することで内枠１２を解錠でき、他方に回動操作することで前面枠セット１４及び裏パックユニット２０３を解錠できるようになっている。本実施形態では、内枠１２は外枠１１に対し施錠され、前面枠セット１４及び裏パックユニット２０３は内枠１２に対し施錠される。
【００５４】
次に、遊技盤３０の構成について図４を参照して説明する。遊技盤３０には、一般入賞口３１、可変入賞装置３２、第１契機対応口（作動口）３３、第２契機対応口３４、可変表示装置ユニット３５等がルータ加工によって形成された貫通穴に配設され、遊技盤３０前面側から木ネジ等により取付けられている。周知の通り前記一般入賞口３１、可変入賞装置３２、第１契機対応口３３に遊技球が入球（入賞）すると、それぞれに対応して設けられた検出スイッチの出力により、上皿１９（または下皿１５）へ所定数の賞球が払い出される。その他に、遊技盤３０にはアウト口３６が設けられており、各種入賞部（一般入賞口３１、可変入賞装置３２、第１契機対応口３３）に入賞しなかった遊技球は、このアウト口３６を通って遊技領域外へと排出される。また、遊技盤３０には、遊技球の落下方向を適宜分散、調整等するために多数の釘が植設されているとともに、風車等の各種部材（役物）が配設されている。
【００５５】
また、第１契機対応口３３へ遊技球が入球したことを契機として大当たり抽選が行われ、当該大当たり抽選により当選結果が得られた場合には特別遊技状態としての大当たり状態が発生する。
【００５６】
可変表示装置ユニット３５には、第２契機対応口３４の通過をトリガとして変動表示する普通図柄表示装置４１と、第１契機対応口３３への入賞をトリガとして変動表示する特別表示装置４３と、特別表示装置４３による変動表示に合わせて変動表示する可変表示装置としての装飾図柄表示装置４２とが設けられている。
【００５７】
普通図柄表示装置４１は複数の発光手段（ＬＥＤ）を内蔵しており、遊技球が第２契機対応口３４を通過する毎に点灯表示態様が切換表示（変動表示）され、その変動表示が特定の点灯態様で数秒間停止した場合に第１契機対応口３３が所定時間だけ作動状態となる（開放される）よう構成されている。この普通図柄表示装置４１は、後述する主制御装置２６１によって直接的に表示内容が制御される。また、普通図柄表示装置４１の変動表示中に、新たに遊技球が第２契機対応口３４を通過した場合には、その分の普通図柄の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００５８】
特別表示装置４３は、普通図柄表示装置４１の側方に設けられた複数の発光部により構成され、遊技球が第１契機対応口３３を通過する毎に点灯する発光部の組合せが切換えられる（変動表示される）。そして、変動表示が停止したときに点灯している発光部の組合わせにより、大当たりか否かが確定的に表示される。この特別表示装置４３についても、主制御装置２６１によって表示内容が直接的に制御される。また、特別表示装置４３の変動表示中に新たに遊技球が第１契機対応口３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４６にて点灯表示されるようになっている。また、大当たり状態中に新たに遊技球が第１契機対応口３３に入賞した場合、その分の変動表示についても保留される。
【００５９】
装飾図柄表示装置４２は、液晶表示装置であって、後述するサブ制御装置２６２によって表示内容が制御される。すなわち、装飾図柄表示装置４２においては、特別表示装置４３にて表示される結果に対応させるように、主制御装置２６１からのコマンドに基づき、サブ制御装置２６２によって補助的な表示内容が決定され、後述する表示制御装置４５によって表示が行われる。装飾図柄表示装置４２には、例えば、上、中及び下の３つの図柄列が表示される。各図柄列は複数の図柄によって構成されており、これら図柄が図柄列毎にスクロールされるようにして装飾図柄表示装置４２に変動表示され、その後、上図柄列→下図柄列→中図柄列の順に停止表示される。また、可変表示装置ユニット３５には、装飾図柄表示装置４２を囲むようにしてセンターフレーム４７が配設されている。
【００６０】
可変入賞装置３２は、通常は遊技球が入賞できない又は入賞し難い閉状態になっており、大当たり（特別遊技状態の発生）の際に、遊技球が入賞しやすい開状態とされる。具体的には、所定時間の経過又は所定個数の入賞を１ラウンドとして、可変入賞装置３２の大入賞口が所定回数（所定ラウンド数）繰り返し開放される。
【００６１】
また、遊技盤３０には、発射装置７０から発射された遊技球を遊技盤３０上部へ案内するレール５０が取付けられている。これにより、ハンドル１８の回動操作に伴い発射された遊技球はレール５０を通じて、遊技盤面上に形成された遊技領域内に案内される。レール５０は内レール構成部５１と外レール構成部５２とからなる。
【００６２】
内レール構成部５１の先端部分には戻り球防止部材５３が取着されている。これにより、一旦、レール５０から遊技盤３０の上部へと案内された遊技球が再度レール５０内に戻ってしまうといった事態が防止される。
【００６３】
また、本実施形態では、外レール構成部５２が遊技盤３０の右上部で途絶え、内レール構成部５１が遊技盤３０の右下部で途絶えている。このため、遊技領域は、レール５０及び樹脂ベース３８の窓孔３９の内周面により画定される。但し、内外レール構成部５１，５２の並行部分を除く。
【００６４】
次に、パチンコ機１０の背面構成について図５，図６を参照して説明する。パチンコ機１０の背面には、各種制御基板が上下左右に並べられるようにして、一部前後に重ねられるようにして配置されており、さらに、遊技球を供給する遊技球供給装置（払出機構）や樹脂製の保護カバー等が取り付けられている。本実施形態では、各種制御基板を２つの取付台に分けて搭載して２つの制御基板ユニットを構成し、それら制御基板ユニットを個別に内枠１２又は遊技盤３０の裏面に装着するようにしている。この場合において、主基板とサブ制御基板とを一方の取付台に搭載してユニット化すると共に、払出制御基板、発射制御基板及び電源基板を他方の取付台に搭載してユニット化している。ここでは便宜上、前者のユニットを「第１制御基板ユニット２０１」と称し、後者のユニットを「第２制御基板ユニット２０２」と称することとする。また、払出機構及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。なお、第１制御基板ユニット２０１、第２制御基板ユニット２０２及び裏パックユニット２０３は、ユニット単位で着脱できるよう構成されており、さらに、一部に支軸部を設けて内枠１２又は遊技盤３０の裏面に対して開閉できる構成となっている。
【００６５】
まず、遊技盤３０の背面構成について説明する。上述したように遊技盤３０の中央にはルータ加工によって形成された貫通穴に対して可変表示装置ユニット３５が配設されている。この可変表示装置ユニット３５に対し、センターフレーム４７を背後から覆う樹脂製のフレームカバー２１３が後方に突出して設けられている。フレームカバー２１３内には、センターフレーム４７に内蔵されたＬＥＤ等を駆動するＬＥＤ制御基板などが配設されている。
【００６６】
また、フレームカバー２１３の後端に、液晶表示装置たる装飾図柄表示装置４２と表示制御装置４５とが前後に重ね合わされ一体化（ユニット化）された状態で取付けられている。さらに、表示制御装置４５の背面側には音声ランプ制御装置５６０が取付けられている。
【００６７】
ここで、まず装飾図柄表示装置４２及び表示制御装置４５の構造についてより詳しく説明する。
【００６８】
図８に示すように、ユニット化された装飾図柄表示装置４２及び表示制御装置４５では、樹脂材料等よりなる略長方形状のベースプレート６４５の前側に装飾図柄表示装置４２が配設され、ベースプレート６４５の後側に表示制御装置４５が配設されている。
【００６９】
ベースプレート６４５の前面側には、装飾図柄表示装置４２の本体部となる液晶表示器（液晶パネル）６４７が配設されている。液晶表示器６４７は、表示器として液晶を用いたディスプレイであり、略長方形状をなす薄板状に形成されている。
【００７０】
さらに、液晶表示器６４７の前面には、当該液晶表示器６４７を保護するための透明な保護パネル６４８が配設されている。
【００７１】
また、ベースプレート６４５の前面側には、液晶表示器６４７及び保護パネル６４８を重ね合わせた状態で係り止める窓枠フレーム６４９が配設される。窓枠フレーム６４９は後述するユニットカバー６５４に係止される。
【００７２】
一方、表示制御装置４５は、各種電子部品が実装された表示制御基板６５０を具備しており、この表示制御基板６５０がベースプレート６４５の背面側に取付けられている。そして、ベースプレート６４５の背面側には、透明樹脂材料等よりなるユニットカバー６５４が表示制御基板６５０を覆うように取付けられている。従って、ベースプレート６４５及びユニットカバー６５４により表示制御基板６５０を収容する基板ボックスが構成される。つまり、表示制御基板６５０が本実施形態における制御基板に相当する。
【００７３】
ユニットカバー６５４は、表示制御基板６５０の実装面と相対向して略平坦に形成された略長方形状の背壁部６５５と、当該背壁部６５５の周縁部に沿って形成された上下左右の側壁部６５６とから形成されており、ベースプレート６４５側が開口面となった略箱形状に形成されたものである。背壁部６５５が本実施形態における基板ボックスの表壁部に相当する。
【００７４】
ユニットカバー６５４の背壁部６５５には、表示制御基板６５０に設けられたコネクタ６５８，６５９を外部に露出させるためのコネクタ窓６６０が形成されている。このコネクタ窓６６０を介して表示制御装置４５の外側から表示制御基板６５０のコネクタ６５８，６５９へのハーネス等の抜き差しが可能となる。
【００７５】
ユニットカバー６５４の上下左右の側壁部６５６には、それぞれ通気用の小孔群６６２が開口形成されている。本実施形態では、これらの小孔群６６２が排気口として機能する。なお、図１０等からも分かるとおり、小孔群６６２を構成する小孔には、小さな円形小孔６６２ａと、より大きな長孔６６２ｂの２種類がある。これは故障等の発生防止や不正防止の観点からであり、異物等が接触してほしくない電子部品が側壁部６５６の近傍に配置されている場合には当該箇所に対応して円形小孔６６２ａが設けられる。また、後述するＣＰＵ５２１やＶＤＰ５２６など、より重要な電子部品が側壁部６５６の近傍に配置されている場合などには、小孔群６６２が形成されないようにしてもよい。
【００７６】
さらに、背壁部６５５には、後述する冷却ファン６７５に対応して、後方へ突出したファンダクト部６６３が形成されている。ファンダクト部６６３の頂部には通気孔６６４が形成されている。本実施形態では、通気孔６６４が冷却用の外気を導入するための吸気口として機能する。
【００７７】
また、表示制御基板６５０は、各種電子部品が実装された実装面６５０ａとユニットカバー６５４の背壁部６５５との間、及び、基板裏面６５０ｂとベースプレート６４５との間にそれぞれ所定の隙間が確保されるように取付けられている（図１２参照）。
【００７８】
表示制御基板６５０には、後述するようなＣＰＵ５２１、プログラムＲＯＭ５２２、ワークＲＡＭ５２３、ビデオＲＡＭ５２４、キャラクタＲＯＭ５２５、ＶＤＰ５２６などの各種電子部品が実装されている。また、表示制御基板６５０は、コネクタ６５７を介して図示しない配線により液晶表示器６４７（装飾図柄表示装置４２）と電気的に接続されている。従って、コネクタ６５７により後述する出力ポート５２９が構成される。また、上記コネクタ６５８，６５９により後述する入力ポート５２７が構成される。
【００７９】
さらに、本実施形態では、表示制御基板６５０上において、発熱量の多い集積回路であるＣＰＵ５２１及びＶＤＰ５２６により発せられる熱を放熱するためのヒートシンク（放熱板）６７０が載置されている。
【００８０】
本実施形態におけるヒートシンク６７０は、熱伝導率のよいアルミニウム合金等により略平板状に形成されている。このうち、ＣＰＵ５２１及びＶＤＰ５２６に対応する領域が曲げ加工により段差状の当接部６７１となっており、当該当接部６７１の裏面がＣＰＵ５２１及びＶＤＰ５２６に面接触している。従って、ＣＰＵ５２１及びＶＤＰ５２６により発せられた熱は、ヒートシンク６７０側に伝導され、ヒートシンク６７０から放熱される。その結果、ＣＰＵ５２１及びＶＤＰ５２６が冷却される。本実施形態におけるヒートシンク６７０では、多数の放熱フィン等が省略されているため、表示制御装置４５部分を比較的薄型に形成することができる。
【００８１】
なお、ＣＰＵ５２１及びＶＤＰ５２６の上面には、非導電性で伝熱性能のよいシリコンゴム板６７３が貼付けられている（図１２参照）。つまり、ＣＰＵ５２１及びＶＤＰ５２６と、ヒートシンク６７０の当接部６７１は、シリコンゴム板６７３を介して当接している。このシリコンゴム板６７３は、熱伝導率の高い成分を含むと共に弾性を有する薄いゴム板である。これにより、ＣＰＵ５２１及びＶＤＰ５２６と、ヒートシンク６７０の当接部６７１は隙間なく密着される。もちろん、これに限らず、シリコングリスや伝熱性テープ等の非導電性の伝熱性緩衝体を介して当接することとしてもよい。
【００８２】
さらに、ヒートシンク６７０には、当接部６７１の後方位置において、当該当接部６７１を介してＣＰＵ５２１と相対向するように送風手段としての冷却ファン６７５が取付けられている。この冷却ファン６７５は、ユニットカバー６５４の組付け時において上述したファンダクト部６６３内に差込まれた状態となる。従って、ＣＰＵ５２１が本実施形態における特定の電子部品に相当する。
【００８３】
冷却ファン６７５は、薄型の軸流式のものであって、ハウジング６８０内に、複数の羽根からなるファン６８１と、当該ファン６８１を駆動するモータ６８２とが収容されている。冷却ファン６７５には、表示制御基板６５０を介して駆動電力が供給される。
【００８４】
上記のように構成された装飾図柄表示装置４２及び表示制御装置４５は、上記窓枠フレーム６４９と上記ユニットカバー６５４とを組付けることにより一体化（ユニット化）される。より詳しくは、窓枠フレーム６４９には複数の係止爪６４９ａが形成され、これに対応してユニットカバー６５４には前記係止爪６４９ａが係止される係止孔６８３が形成されている。そして、窓枠フレーム６４９及びユニットカバー６５４が係止されることで略箱状のハウジングが構成され、この中に装飾図柄表示装置４２及び表示制御装置４５が収容されて一体化された状態となる。
【００８５】
さらに、背面右上及び左下の２箇所の係止孔６８３にはそれぞれ封止部材６８６が嵌め込まれている。封止部材６８６は一旦嵌め込まれると取外し不能となるとともに、係止爪６４９ａの弾性変形を規制する。これにより窓枠フレーム６４９及びユニットカバー６５４が開封不能に連結された状態となる。但し、封止部材６８６を切断する等して取外すことにより、窓枠フレーム６４９及びユニットカバー６５４は開封可能となる。従って、封止部材６８６による封止処理は、その封止後の不正な開封を防止し、また万一不正開封が行われてもそのような事態を早期に且つ容易に発見可能とする。
【００８６】
さて、本実施形態では、図９，１０に示すように、ユニットカバー６５４の背壁部６５５には音声ランプ制御装置５６０が載置されている。図９は、ユニットカバー６５４に音声ランプ制御装置５６０が載置された状態を示す上記ユニット（装飾図柄表示装置４２及び表示制御装置４５）の背面図であり、図１０はその斜視図である。また、図１１は、ユニットカバー６５４から音声ランプ制御装置５６０が取外された状態を示す上記ユニットの分解斜視図である。
【００８７】
音声ランプ制御装置５６０は、音声ランプ制御基板５６１が、透明樹脂材料等よりなる基板ボックス５６２に収容されて構成されている。基板ボックス５６２は、ボックスベース５６３と該ボックスベース５６３を覆うボックスカバー５６４とからなる（図１２参照）。
【００８８】
ボックスベース５６３の裏面には、図示しない係合爪部が形成されており、当該係合爪部が上記ユニットカバー６５４の背壁部６５５に形成された係合孔部６８４に係合されることにより音声ランプ制御装置５６０（基板ボックス５６２）が固定される。また、ユニットカバー６５４の背壁部６５５には、音声ランプ制御装置５６０を位置決めするための位置決め凸部６８５が形成されている。
【００８９】
また、図９のＫ−Ｋ線部分断面図である図１２に示すように、ボックスベース５６３には、ユニットカバー６５４のファンダクト部６６３に対応して四角形状の挿通孔６８７が形成され、ボックスカバー５６４には前記挿通孔６８７に繋がる筒部６８８が形成されている。さらに、筒部６８８に対応して、音声ランプ制御基板５６１には四角形状の挿通孔６８９が形成されている。これにより、基板ボックス５６２には、一方が、ボックスベース５６３の裏面に開口し、他方が、ボックスベース５６３と相対向するボックスカバー５６４の背壁部５６４ａに開口する通気手段としての通気用筒部が形成されることとなり、冷却ファン６７５と外部との通気性が確保される。
【００９０】
上記構成により、冷却ファン６７５を駆動すると、筒部６８８及びファンダクト部６６３を介して吸い込まれた外気がユニットカバー６５４（表示制御装置４５）内へ導入され、ヒートシンク６７０に吹き付けられる。そして、当該外気は、ヒートシンク６７０との間で熱交換がなされた後、ユニットカバー６５４内を通り、上下左右の側壁部６５６の小孔群６６２より外部に排出される。これにより、ＣＰＵ５２１及びＶＤＰ５２６が冷却される。
【００９１】
次に、装飾図柄表示装置４２、表示制御装置４５及び音声ランプ制御装置５６０をユニット化したもの（以下、表示装置組付体という）をフレームカバー２１３に取付け、上記可変表示装置ユニット３５に一体化する手順について説明する。取付順序としては、まず表示装置組付体をフレームカバー２１３に対して傾斜させ、ユニットカバー６５４の下部の側壁部６５６に形成された位置決め部材６９０を、フレームカバー２１３に形成された下側受部６９１（図５参照）に挿入しつつ、表示装置組付体を徐々に垂直状態にしていき、フレームカバー２１３に嵌め込んでいく。そして、表示装置組付体が完全に嵌め込まれた状態で、ユニットカバー６５４の上部の側壁部６５６に形成されたスライドバー６９２を操作して外方向へスライドさせる。そして、スライドバー６９２の先が、フレームカバー２１３に形成されたバー受部６９３（図５参照）に差込まれ係合される。このようにして、表示装置組付体はフレームカバー２１３に固定された状態となる。
【００９２】
また、遊技盤３０の裏面には、可変表示装置ユニット３５を取り囲むようにして裏枠セット２１５が取付けられている。この裏枠セット２１５は、遊技盤３０の裏面に張り付くようにして設けられる薄型の樹脂成形品であって、各種入賞口に入賞した遊技球を回収するための球回収機構２１６を備えている。また、第２制御基板ユニット２０２には、球回収機構２１６の下方位置において排出通路部２１７が形成されており、該排出通路部２１７には排出球をパチンコ機１０外部へ排出する排出シュート２１８が形成されている（図６参照）。従って、一般入賞口３１等に入賞した遊技球は何れも裏枠セット２１５の球回収機構２１６を介して集合し、さらに排出通路部２１７の排出シュート２１８を介してパチンコ機１０外部に排出される。なお、アウト口３６も同様に排出通路部２１７に通じており、何れの入賞口にも入賞しなかった遊技球も排出シュート２１８を介してパチンコ機１０外部に排出される。
【００９３】
また、遊技盤３０の裏面には、各種入賞口などの遊技球の通過を検出する入賞感知機構（検出スイッチ）などが設けられている。入賞感知機構にて各々検出された検出結果は、後述する主基板（主制御装置２６１）に取り込まれ、該主基板よりその都度の入賞状況に応じた払出指令（遊技球の払出個数）が払出制御基板に送信される。そして、該払出制御基板の出力により所定数の遊技球の払出が実施される。本実施形態のパチンコ機１０では、各種入賞口毎に遊技球の入賞を電気的に感知して払出が直ちに行われる。
【００９４】
第１制御基板ユニット２０１は、主制御装置２６１と、サブ制御装置２６２とを具備している。主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板を具備しており、この主基板が透明樹脂材料等よりなる基板ボックス２６３に収容されて構成されている。なお、基板ボックス２６３は、略直方体形状のボックスベースと該ボックスベースの開口部を覆うボックスカバーとを備えている。これらボックスベースとボックスカバーとは封印ユニットによって連結されており、基板ボックス２６３が開封された場合には、封印ユニットにおいて所定の痕跡が残るよう構成されている。これにより、基板ボックス２６３が不正に開封された旨を容易に発見することができる。
【００９５】
また、サブ制御装置２６２は、主制御装置２６１（主基板）からの指示に従い各種演出制御を司るＣＰＵや、各種プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含むサブ制御基板を具備しており、このサブ制御基板についても当該サブ制御基板に対応する基板ボックスに収容されて構成されている。
【００９６】
第２制御基板ユニット２０２は、払出制御装置３１１、発射制御装置３１２、電源装置３１３及びカードユニット接続基板３１４を具備している。払出制御装置３１１、発射制御装置３１２及び電源装置３１３は周知の通り制御の中枢をなすＣＰＵや、その他ＲＯＭ、ＲＡＭ、各種ポート等を含む制御基板を具備しており、払出制御装置３１１の払出制御基板により、賞品球や貸出球の払出が制御される。また、発射制御装置３１２の発射制御基板により、遊技者によるハンドル１８の操作に従い発射装置等の制御が行われ、電源装置３１３の電源基板により、各種制御装置等で要する所定の電源電圧が生成され出力される。
【００９７】
上記払出制御装置３１１、発射制御装置３１２及び電源装置３１３についても、それぞれに対応する基板ボックス３１５、３１６、３１７に収容されて構成されている。但し、発射制御装置３１２（基板ボックス３１６）は、電源装置３１３（基板ボックス３１７）の裏側に配置されている。また、払出制御装置３１１が収容される基板ボックス３１５には、前述した主制御装置２６１と同様に封印ユニットが設けられ、基板ボックス３１５の開封した痕跡が残るようになっている。
【００９８】
払出制御装置３１１には状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。
【００９９】
また、電源装置３１３にはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技場の営業終了時に）電源遮断すると電源遮断前の状態が記憶保持されることから、電源投入時に初期状態に戻したい場合には、ＲＡＭ消去スイッチ３２３を押しながら電源を投入する。
【０１００】
次に、裏パックユニット２０３の構成を説明する。裏パックユニット２０３は、樹脂成形された裏パック３５１と遊技球の払出機構部３５２とを一体化したものである。
【０１０１】
裏パック３５１は例えばＡＢＳ樹脂により一体成形されており、パチンコ機後方に突出し略直方体形状をなす保護カバー部３５４を有する。保護カバー部３５４は左右側面及び上面が閉鎖され且つ下面のみが開放された形状をなし、少なくとも可変表示装置ユニット３５を囲むのに十分な大きさを有する。但し、本実施形態では、前述のサブ制御装置２６２及び主制御装置２６１の一部も合わせて囲む構成となっている。保護カバー部３５４により、後述する上部のタンク３５５等から落下してくる遊技球等から可変表示装置ユニット３５が保護される。
【０１０２】
保護カバー部３５４の背面には、表示制御装置４５に対応して、略矩形状の通気孔３５４ａが開口形成されており、当該通気孔３５４ａには防塵フィルタ３５４ｂが着脱可能に取付けられている。従って、保護カバー部３５４が本実施形態におけるカバー部材に相当する。また、保護カバー部３５４の上部には、その上方に配設された後述のタンクレール３５６を避けるように、上面から背面にかけて開口した通気孔３５４ｃが多数設けられている。
【０１０３】
また、払出機構部３５２は、保護カバー部３５４を迂回するようにして配設されている。すなわち、保護カバー部３５４の上方には、上側に開口したタンク３５５が設けられており、このタンク３５５には遊技場の島設備から供給される遊技球が逐次補給される。タンク３５５の下方には、例えば横方向２列の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ３５８ａ等の所定の電気的構成により必要個数の遊技球の払出が適宜行われる。そして、払出装置３５８より払い出された遊技球は上記上皿１９等に供給される。
【０１０４】
また、払出機構部３５２には、払出制御装置３１１から払出装置３５８への払出指令の信号を中継する払出中継基板３８１が設置されると共に、外部より主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【０１０５】
次に、パチンコ機１０の電気的構成について説明する。図７は、本パチンコ機１０の電気的構成を示すブロック図である。パチンコ機１０の主制御装置２６１（主基板）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。
【０１０６】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するメモリやエリアの他に、バックアップエリア５０３ａが設けられている。
【０１０７】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、ＮＭＩ端子（ノンマスカブル端子）への停止信号の入力により起動されるＮＭＩ割込み処理（このＮＭＩ割込みにより、電源断時の主制御装置２６１の状態がＲＡＭ５０３のバックアップエリア５０３ａに記憶される）によって停電の発生等による電源切断時に実行され、逆にバックアップエリア５０３ａに書き込まれた各値の復帰は、電源入時（停電解消による電源入を含む。以下同様）の復電処理において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【０１０８】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、サブ制御装置２６２、特別表示装置４３、普通図柄表示装置４１、その他図示しないスイッチ等が接続されている。この構成により、上述した特別表示装置４３および普通図柄表示装置４１は、主制御装置２６１により直接的に制御される。一方、装飾図柄表示装置４２は、サブ制御装置２６２を介して制御される。
【０１０９】
サブ制御装置２６２（サブ制御基板）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン５５５を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。
【０１１０】
入出力ポート５５４には、バスライン５５５を介してＣＰＵ５５１、ＲＯＭ５５２、ＲＡＭ５５３が接続されている。さらに、入出力ポート５５４には、表示制御装置４５及び音声ランプ制御装置５６０が接続されている。
【０１１１】
サブ制御装置２６２のＣＰＵ５５１は、例えば主制御装置２６１から送信される指令信号（例えば変動パターンコマンド）に基づいて表示制御装置４５に表示制御を実行させ、装飾図柄表示装置４２に表示させる。なお、上記のように、本実施形態では、主制御装置２６１が制御する特別表示装置４３にて大当たりか否かを表示するようになっており、サブ制御装置２６２が制御する装飾図柄表示装置４２では、前記特別表示装置４３の表示に合わせた表示が行われる。
【０１１２】
また、払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１１３】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するメモリやエリアの他に、バックアップエリア５１３ａが設けられている。
【０１１４】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、ＮＭＩ割込み処理によって電源切断時に実行され、逆にバックアップエリア５１３ａに書き込まれた各値の復帰は、電源入時の復電処理において実行される。
【０１１５】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出モータ３５８ａなどがそれぞれ接続されている。
【０１１６】
発射制御装置３１２は、発射装置７０による遊技球の発射を許可又は禁止するものであり、発射装置７０は、所定条件が整っている場合に駆動が許可される。具体的には、払出制御装置３１１から発射許可信号が出力されていること、遊技者がハンドル１８をタッチしていることをセンサ信号により検出していること、発射を停止させる発射停止スイッチが操作されていないことを条件に、発射装置７０が駆動され、ハンドル１８の操作量に応じた強度で遊技球が発射される。
【０１１７】
表示制御装置４５は、サブ制御装置２６２からの指示に従い、装飾図柄表示装置４２における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、ビデオディスプレイプロセッサ（ＶＤＰ）５２６と、入力ポート５２７と、出力ポート５２９と、バスライン５３０，５３１とを備えている。入力ポート５２７にはサブ制御装置２６２の入出力ポート５５４が接続されている。また、入力ポート５２７には、ＣＰＵ５２１、プログラムＲＯＭ５２２、ワークＲＡＭ５２３、ＶＤＰ５２６が接続されている。また、ＶＤＰ５２６にはバスライン５３１を介して出力ポート５２９が接続されており、その出力ポート５２９には液晶表示装置たる装飾図柄表示装置４２が接続されている。
【０１１８】
表示制御装置４５のＣＰＵ５２１は、サブ制御装置２６２から送信される表示コマンドを入力ポート５２７を介して受信するとともに、受信コマンドを解析し又は受信コマンドに基づき所定の演算処理を行ってＶＤＰ５２６の制御（具体的にはＶＤＰ５２６に対する内部コマンドの生成）を実施する。これにより、装飾図柄表示装置４２における表示制御を行なう。
【０１１９】
プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。
【０１２０】
ビデオＲＡＭ５２４は、装飾図柄表示装置４２に表示される表示データを記憶するメモリであり、このビデオＲＡＭ５２４の内容を書き替えることにより、装飾図柄表示装置４２の表示内容が変更される。キャラクタＲＯＭ５２５は、装飾図柄表示装置４２に表示される図柄などのキャラクタデータを記憶するメモリである。
【０１２１】
ＶＤＰ５２６は、装飾図柄表示装置４２に組み込まれたＬＣＤドライバ（液晶駆動回路）を直接操作する一種の描画回路である。ＶＤＰ５２６はＩＣチップ化されているため「描画チップ」とも呼ばれ、その実体は、描画処理専用のファームウェアを内蔵したマイコンチップとでも言うべきものである。ＶＤＰ５２６は、ＣＰＵ５２１、ビデオＲＡＭ５２４等のそれぞれのタイミングを調整してデータの読み書きに介在するとともに、ビデオＲＡＭ５２４に記憶される表示データを所定のタイミングで読み出して装飾図柄表示装置４２に表示させる。
【０１２２】
また、音声ランプ制御装置５６０は、サブ制御装置２６２からの指示に従い、スピーカＳＰ、各種電飾部及びランプ１０２〜１０４等の制御を実行するものである。音声ランプ制御装置５６０は、他の制御装置と同様に、音声やランプ表示の制御を司るＣＰＵや、その他ＲＯＭ、ＲＡＭ、各種ポート等を含む上記音声ランプ制御基板５６１を具備しており、音声ランプ制御基板５６１が透明樹脂材料等よりなる基板ボックス５６２に収容されている。
【０１２３】
また、電源装置３１３は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【０１２４】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（ＮＭＩ割込み処理）を実行する。
【０１２５】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１２６】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【０１２７】
以上詳述したように、本実施形態では、表示制御装置４５の内側へ向け送風する冷却ファン６７５を備えることにより、ＣＰＵ５２１等に対し、表示制御装置４５内の空気よりも冷たい外気を集中的に送風し、ＣＰＵ５２１等を効率良く冷却することができる。さらに、防塵フィルタ３５４ｂを具備した保護カバー部３５４を備えることにより、表示制御装置４５内への塵や埃等の異物の侵入を抑制することができる。結果として、塵や埃等の異物の侵入抑制と、ＣＰＵ５２１等の冷却効率の向上との両立を図ることができる。
【０１２８】
なお、表示制御装置４５内の熱を外部に逃がすには、表示制御装置４５の上部から放熱することが最も放熱効率が良い。従って、表示制御装置４５内の熱を外部に向け排出するようにファンを取付ける従来構成において、表示制御装置４５の上部から放熱しようとした場合には、前記ファンを表示制御装置４５の上側に配置することとなる。しかしながら、このような構成ではファンに埃などが溜まりやすく故障の原因となるおそれがある。この点、本実施形態のように、表示制御装置４５の背面側に冷却ファン６７５を備え、表示制御装置４５の内側へ向け送風する構成とすれば、表示制御装置４５の上部（ユニットカバー６５４の上側の側壁部６５６に形成された小孔群６６２）から放熱することができ、放熱性能の向上を図ることができる。
【０１２９】
さらに、表示制御装置４５の背面側には音声ランプ制御装置５６０が載置されており、当該音声ランプ制御装置５６０には、冷却ファン６７５と外部とを通気させるための筒部６８８等からなる通気手段（通気用筒部）が形成されている。これにより、表示制御装置４５の背面側に音声ランプ制御装置５６０を載置できる構造を確保しつつ、当該音声ランプ制御装置５６０に妨げられることなく、冷却ファン６７５と外部との通気性が十分に確保される。結果として、表示制御装置４５の放熱性能を損なうことなく、音声ランプ制御装置５６０を設置するためのより大きなスペースを確保しやすくなる。
【０１３０】
また、本実施形態では、通気手段を構成する筒部６８８が、音声ランプ制御基板５６１の挿通孔６８９を介して基板ボックス５６２の前後に真っ直ぐ貫通形成されている。このため、筒部６８８を、音声ランプ制御基板５６１を迂回するような複雑な形状とすることなく、比較的短い距離で形成することができ、通気性能の向上を図ることができる。
【０１３１】
加えて、筒部６８８が基板ボックス５６２内と非連通状態にあるため、音声ランプ制御基板５６１に実装された電子部品に与える影響を低減することができる。
【０１３２】
なお、上述した実施形態の記載内容に限定されず、例えば次のように実施してもよい。
【０１３３】
（ａ）上記実施形態では、表示制御装置４５に関連して本発明を適用した例を示したが、主制御装置２６１など他の制御装置に関連して本発明を適用してもよい。
【０１３４】
（ｂ）上記実施形態では、冷却ファン６７５を覆うカバー部材として、防塵フィルタ３５４ｂを具備した保護カバー部３５４を例示したが、カバー部材はこれに限られるものではない。例えば保護カバー部３５４から通気孔３５４ａ及び防塵フィルタ３５４ｂを省略するとともに、その背面に多数の通気孔を形成した構成を採用してもよい。このように、カバー部材は、必ずしも防塵フィルタ等のフィルタ手段を備えた構成でなくともよく、塵や埃等の異物が侵入しにくい構成となっていればよい。従って、保護カバー部３５４において、冷却ファン６７５に対向する領域には通気孔等が設けられず、その周囲に通気孔が形成された構成としてもよい。また、冷却ファン６７５を覆うカバー部材を表示制御装置４５に直接取付け又は一体形成した構成としてもよい。
【０１３５】
（ｃ）上記実施形態では、音声ランプ制御基板５６１の挿通孔６８９を介して基板ボックス５６２の前後に真っ直ぐ貫通形成された筒部６８８等により通気手段が構成されている。これに限らず、制御装置や通気手段の形状・構造等を必要に応じて適宜変更することができる。
【０１３６】
例えば図１３に示すように、筒部６８８の一方が、ボックスベース５６３の裏面に開口し、他方が、ボックスカバー５６４の側壁部に開口した構成としてもよい。より詳しくは、ボックスベース５６３には、上記実施形態と同様に、ユニットカバー６５４のファンダクト部６６３に対応して四角形状の挿通孔６８７が形成されている。そして、ボックスカバー５６４には前記挿通孔６８７に繋がる断面四角形状の筒部６８８が形成されている。但し、この実施形態における筒部６８８は、挿通孔６８７から音声ランプ制御基板５６１の裏面に向けて真っ直ぐに延びる第１筒構成部６８８ａと、当該第１筒構成部６８８ａからボックスカバー５６４の所定の側壁部５６４ｂに向けて音声ランプ制御基板５６１の裏面に沿って真っ直ぐに延びる第２筒構成部６８８ｂとから構成されている。つまり、この実施形態における筒部６８８は、ボックスベース５６３からこれと相対向するボックスカバー５６４の背壁部５６４ａに向けて真っ直ぐに形成されていない。これにより、基板ボックス５６２には、一方が、ボックスベース５６３の裏面に開口し、他方が、ボックスベース５６３と直交するボックスカバー５６４の側壁部５６４ｂに開口する通気手段としての屈曲した通気用筒部が形成されることとなり、上記実施形態と同様に、冷却ファン６７５と外部との通気性が確保される。これにより、音声ランプ制御基板５６１において、筒部６８８を貫通させるための挿通孔６８９のような貫通孔部を形成しなくともよく、音声ランプ制御基板５６１のサイズをより大きくすることができる。このような構成では、音声ランプ制御装置５６０の基板ボックス５６２が、冷却ファン６７５に対向して配置されたカバー部材を構成することとなる。このような構成となっていれば、保護カバー部３５４を省略した構成としても、塵や埃等の異物が侵入しにくい構成となる。
【０１３７】
また、例えば冷却ファン６７５が表示制御基板６５０の周縁部近傍に配設されている場合などにおいては、通気手段が通気用筒部ではなく、図１４，１５に示すように、ボックスカバー５６４に形成された略コ字状の切欠き部６９４や略Ｌ字状の切欠き部６９５などであってもよい。
【０１３８】
（ｄ）上記実施形態では、冷却ファン６７５がＣＰＵ５２１に相対向して配置され、当該ＣＰＵ５２１に向けて送風する構成となっている。これに限らず、冷却ファン６７５は、少なくとも表示制御装置４５の内側に向けて送風するように配設されていればよい。例えばＣＰＵ５２１から外れた位置において表示制御基板６５０の実装面に相対向するように配設されていてもよい。従って、このように配設されていれば、ＶＤＰ５２６など他の電子部品に相対向して配設されていてもよい。
【０１３９】
また、冷却ファン６７５がユニットカバー６５４側に取付けられた構成としてもよい。この場合、冷却ファン６７５への電力供給用配線の接続構成の簡素化等を図るためには、表示制御基板６５０も併せてユニットカバー６５４側に取付けられる構成とすることが好ましい。例えば、図１６に示す例では、表示制御基板６５０がユニットカバー６５４に対しネジ９００により固定されるとともに、冷却ファン６７５が配線９０１により表示制御基板６５０と電気的に接続されている。
【０１４０】
（ｅ）上記実施形態では、ユニットカバー６５４の背壁部６５５から突出するようにファンダクト部６６３が形成され、その頂部に吸気口としての複数の通気孔６６４が形成されている。これに限らず、例えばファンダクト部６６３を省略し、ユニットカバー６５４の背壁部６５５が略平板状となった構成としてもよい。また、冷却ファン６７５全体が外部に臨むように、当該冷却ファン６７５と同等の大きさの吸気口を備えた構成としてもよい。このようにすれば、吸気性能の向上を図ることができる。しかし、安全性を向上する上では、上記実施形態のように小さな通気孔６６４を複数備え、冷却ファン６７５内へ指などを差し込めない構成とすることが好ましい。
【０１４１】
（ｆ）上記実施形態では、ユニットカバー６５４の上下左右すべての側壁部６５６に小孔群６６２が形成されている。これに限らず、少なくとも冷却ファン６７５が配置された高さ位置よりも上方位置、例えば上側の側壁部６５６において小孔群６６２が形成されていればよい。表示制御装置４５の上部から放熱することが最も放熱効率が良いため、このようにすれば、上下左右すべての側壁部６５６に小孔群６６２が形成された上記実施形態に比べても、放熱性能は低下しにくい。
【０１４２】
また、図５，６からも分かるように、パチンコ機１０には、背面側の限られた設置スペースの中に多くの制御装置が設置されている。このため、各種制御装置が隣接して配設されている。例えば、表示制御装置４５の下方には、主制御装置２６１が隣接して配置されている。この場合、両者の設置間隔が狭すぎると、十分な通気スペースが確保できず、ユニットカバー６５４の下側の側壁部６５６の小孔群６６２からは効率よく排気を行うことができないことも懸念される。これに鑑み、以下の構成を採用することで、表示制御装置４５の後方又は斜め後方に向けて排気できるため、放熱性能の低下を抑制することができる。
【０１４３】
例えば、図１７に示すように、ユニットカバー６５４の下部において、背壁部６５５から下側の側壁部６５６にかけて開口した排気口９０４を備えた構成としてもよい。
【０１４４】
また、図１８に示すように、ユニットカバー６５４の下部の所定箇所において、背壁部６５５と下側の側壁部６５６との連接部分に傾斜壁部９０６を形成し、当該傾斜壁部９０６において排気口９０７を備えた構成としてもよい。この場合、さらに下側の側壁部６５６において小孔群６６２を省略した構成としてもよい。このようにすれば、下方の主制御装置２６１に対し熱風が吹きつけられることもなくなるため、主制御装置２６１に与える影響を低減することができる。ひいては、表示制御装置４５と主制御装置２６１との間に通気スペースを確保する必要もなくなるため、両制御装置４５，２６１を密着させることも可能となり、限られた設置スペースの有効利用を図ることができる。
【０１４５】
（ｇ）上記実施形態では、冷却ファン６７５及び通気手段としての筒部６８８等が１つ設けられているだけであるが、これらを複数備えた構成としてもよい。
【０１４６】
（ｈ）上記実施形態では、通気手段としての筒部６８８等がボックスカバー５６４に一体形成されているが、これに限らず、別体で成形されたものをボックスカバー５６４に組付けた構成としてもよい。
【０１４７】
（ｉ）上記実施形態では、ユニットカバー６５４（表示制御装置４５）の背壁部６５５に直接当接するように音声ランプ制御装置５６０が載置されているが、これに限らず、所定の取付台を介して載置される構成としてもよい。
【０１４８】
（ｊ）上記実施形態では、ヒートシンク６７０が設けられているが、これを省略した構成としてもよい。
【０１４９】
（ｋ）音声ランプ制御装置５６０の背面側にさらにもう一つの別の制御装置（基板ボックス）を取付け、当該制御装置にも上記冷却ファン６７５及び筒部６８８等に繋がる通気手段を形成した構成としてもよい。
【０１５０】
（ｌ）上記実施形態とは異なるタイプのパチンコ機として実施してもよい。また、パチンコ機以外にも、アレンジボール機、それに類する雀球等の各種遊技機、スロットマシン等の回胴式遊技機、スロットマシンとパチンコ機とを融合した形式の遊技機などとして実施してもよい。
【符号の説明】
【０１５１】
１０…パチンコ機、４２…装飾図柄表示装置、４５…表示制御装置、３５４…保護カバー部、５２１…ＣＰＵ、５６０…音声ランプ制御装置、５６１…音声ランプ制御基板、５６２…基板ボックス、６４５…ベースプレート、６５０…表示制御基板、６５４…ユニットカバー、６７５…冷却ファン。
【図１】
0005617893.tif 000002
【図２】
0005617893.tif 000003
【図３】
0005617893.tif 000004
【図４】
0005617893.tif 000005
【図５】
0005617893.tif 000006
【図６】
0005617893.tif 000007
【図７】
0005617893.tif 000008
【図８】
0005617893.tif 000009
【図９】
0005617893.tif 000010
【図１０】
0005617893.tif 000011
【図１１】
0005617893.tif 000012
【図１２】
0005617893.tif 000013
【図１３】
0005617893.tif 000014
【図１４】
0005617893.tif 000015
【図１５】
0005617893.tif 000016
【図１６】
0005617893.tif 000017
【図１７】
0005617893.tif 000018
【図１８】
0005617893.tif 000019